(57)【特許請求の範囲】
【請求項１】
先端部に超音波振動子を有するシャフト部とこのシャフト部に設けられるグリップ部とを備えた超音波プローブの前記シャフト部側面に取り付けられ、穿刺針を前記シャフト部に沿って保持する穿刺アダプタにおいて、
穿刺針に沿って針をガイドするための針ガイドと、
この針ガイドに設けられた鍵型部と、
前記針ガイドに沿って可動に設けられたつまみ部と、
前記針ガイドの外周部に設けられ、前記針ガイドと前記つまみ部を接続し、前記つまみ部の移動を前記鍵型部の設けられる方向へ付勢するつる巻バネとを備え、
前記針ガイドの後端部には前記つる巻バネの後端部を係止する大径部が形成され、
前記つまみ部には、その前方へ突出する少なくとも１本のピンが設けられるとともに、
前記つまみ部の前端部に開口部を有する小径の孔とこの孔に続き後端部に開口部を有する大径の孔が設けられ、この大径の孔には前記つる巻バネと前記針ガイドの大径部とが挿通され、
前記つる巻バネの前端部がその伸張力により前記つまみ部を前方へ付勢することにより、超音波プローブに固定されることを特徴とする穿刺アダプタ。
【請求項２】
先端部に超音波振動子を有するシャフト部とこのシャフト部に設けられるグリップ部とを備えた超音波プローブの前記シャフト部側面に取り付けられ、穿刺針を前記シャフト部に沿って保持する穿刺アダプタにおいて、
穿刺針に沿って針をガイドするための針ガイドと、
この針ガイドに設けられた鍵型部と、
前記針ガイドの端部に前記針ガイドに沿って可動に設けられかつテーパー形状の鞍型部と、
前記針ガイドの外周部に設けられ、前記針ガイドと前記鞍型部を接続し、前記鞍型部の移動を前記鍵型部の設けられる方向へ付勢する弾性部材とを備え、
前記針ガイドの後端部には前記弾性部材の後端部を係止する大径部が形成され、
前記鞍型部には、その前端部に開口部を有する小径の孔とこの孔に続き後端部に開口部を有する大径の孔が設けられ、この大径の孔には前記バネと針ガイドの大径部とが挿通され、
前記バネの前端部がその伸張力により前記鞍型部を前方へ付勢することにより、超音波プローブに固定されることを特徴とする穿刺アダプタ。
【発明の詳細な説明】
【０００１】
【発明の属する技術分野】
本発明は、体腔内超音波プローブに装着して穿刺針を体腔内に導入する穿刺アダプタに関する。
【０００２】
【従来の技術】
被検体の体腔内から超音波診断を行うために体腔内超音波プローブが用いられている。体腔内超音波プローブは、先端部が丸く成形された棒状のシャフト部の内部に超音波振動子を備え、この超音波振動子を電気的または機械的に走査させて、被検体の断層像等を得るものである。この体腔内超音波プローブによる画像診断を行ってから、関心領域の組織標本を採取したり、組織内に滞留した液体の吸引や、薬液注入のために、穿刺術が行われることがある。
【０００３】
この穿刺術に使用される穿刺針を体腔内超音波プローブに装着するためのアダプタが穿刺アダプタと呼ばれるものである。
【０００４】
次に、図９を参照して従来の穿刺アダプタの構造例を説明する。図９に示すように、体腔内超音波プローブ１０１には、その挿入部であるシャフト部１０３の先端部側面から前方に傾斜する鍵穴１０５を設け、シャフト部１０３の後端部に続くグリップ部１０７の対向する両側面に円形の窪みであるディンプル１０９を設けていた。
【０００５】
これに対して、穿刺アダプタ１２１には、内部に穿刺針が挿通される略円筒状の針ガイド１２３の先端部にシャフト部の鍵穴１０５に嵌合する鍵型の突起を設け、針ガイド１２３の後端部には、グリップ部に跨る鞍１２７を設けていた。この鞍１２７の一端部には一方のディンプル１０９に嵌合する固定した円形の突起部１２９を設け、他端部には、固定ネジ１３１により他方のディンプルに対して前後に可動な円形の突起部１３３を設けていた。
【０００６】
そして、穿刺アダプタの体腔内超音波プローブへの取付に際しては、まず、先端部の鍵型をプローブシャフトの鍵穴１０５に引掛け、鞍１２７に固定した円形の突起部１２９をグリップ部１０７の一方のディンプル１０９に合わせ、鞍１２７に設けられた固定ネジ１３１をねじ込むことにより、対向する突起部がプローブグリップ部のディンプルに填り込んで固定されるというものであった。
【０００７】
【発明が解決しようとする課題】
しかしながら、上記従来の穿刺アダプタは、プローブへの取付に際して、固定ネジをねじ込むという煩わしさと、操作者のねじ込み力のばらつきによって、穿刺アダプタの固定力にばらつきが生じ、固定力が小さすぎると使用中に穿刺アダプタが緩んだり、固定力が強すぎると使用後の取り外しが困難となったり、甚だしくはプローブを破損するという問題点があった。
【０００８】
以上の問題点に鑑み、本発明の目的は、操作者の締め具合によらず、操作が簡単で、常に最適な固定力が得られる穿刺アダプタを提供することである。
【０００９】
【課題を解決するための手段】
上記目的を達成するために、本発明は次の構成を有する。
すなわち請求項１記載の発明は、先端部に超音波振動子を有するシャフト部とこのシャフト部に設けられるグリップ部とを備えた超音波プローブの前記シャフト部側面に取り付けられ、穿刺針を前記シャフト部に沿って保持する穿刺アダプタにおいて、穿刺針に沿って針をガイドするための針ガイドと、この針ガイドに設けられた鍵型部と、前記針ガイドに沿って可動に設けられたつまみ部と、前記針ガイドの外周部に設けられ、前記針ガイドと前記つまみ部を接続し、前記つまみ部の移動を前記鍵型部の設けられる方向へ付勢するつる巻バネとを備え、前記針ガイドの後端部には前記つる巻バネの後端部を係止する大径部が形成され、前記つまみ部には、その前方へ突出する少なくとも１本のピンが設けられるとともに、前記つまみ部の前端部に開口部を有する小径の孔とこの孔に続き後端部に開口部を有する大径の孔が設けられ、この大径の孔には前記つる巻バネと前記針ガイドの大径部とが挿通され、前記つる巻バネの前端部がその伸張力により前記つまみ部を前方へ付勢することにより、超音波プローブに固定されることを要旨とする。
【００１０】
また請求項２記載の発明は、先端部に超音波振動子を有するシャフト部とこのシャフト部に設けられるグリップ部とを備えた超音波プローブの前記シャフト部側面に取り付けられ、穿刺針を前記シャフト部に沿って保持する穿刺アダプタにおいて、穿刺針に沿って針をガイドするための針ガイドと、この針ガイドに設けられた鍵型部と、前記針ガイドの端部に前記針ガイドに沿って可動に設けられかつテーパー形状の鞍型部と、前記針ガイドの外周部に設けられ、前記針ガイドと前記鞍型部を接続し、前記鞍型部の移動を前記鍵型部の設けられる方向へ付勢する弾性部材とを備え、前記針ガイドの後端部には前記弾性部材の後端部を係止する大径部が形成され、前記鞍型部には、その前端部に開口部を有する小径の孔とこの孔に続き後端部に開口部を有する大径の孔が設けられ、この大径の孔には前記バネと針ガイドの大径部とが挿通され、前記バネの前端部がその伸張力により前記鞍型部を前方へ付勢することにより、超音波プローブに固定されることを要旨とする。
【００１７】
【発明の実施の形態】
次に図面を参照して、本発明の実施の形態を詳細に説明する。
図１は、本発明に係る穿刺アダプタの第１の実施の形態を示す正面図（ａ）および断面図（ｂ）であり、図２はこの穿刺アダプタを体腔内超音波プローブに取り付けた様子を示す側面図である。
【００１８】
図１によれば、第１の実施の形態の穿刺アダプタ１ａは、内部に図示されない穿刺針が挿通される略円筒状の針ガイド３ａと、針ガイド３ａの後端部に前後に可動に設けられたつまみ部２１ａと、針ガイド３ａの外周部に設けられたつる巻ばね３９ａと、Ｅリング３７ａを備えて構成されている。
【００１９】
針ガイド３ａの先端部には、後方へ傾斜した突起である鍵型部５ａが設けられている。針ガイド３ａの後端部にはつる巻ばね３９ａの後端部を係止するための大径部７ａが設けられ、大径部７ａの後端部には、図示されない穿刺針の挿入口１１ａが漏斗状に開口している。
【００２０】
つまみ部２１ａには、その前端部から前方に突出するピン２３ａが２本設けられ、またつまみ部２１ａの前端部に開口部を有する小径孔２５ａとこの小径孔２５ａに続き後端部に開口部を有する大径孔２７ａが設けられ、大径孔２７ａにはその自然長より圧縮されたつる巻ばね３９ａと針ガイド３ａの大径部７ａとが滑動可能なように挿通されている。
【００２１】
この針ガイド３ａには、その外周部を一周する溝部９ａが設けられ、溝部９ａには、Ｅリング３７ａが嵌め込まれていて、つる巻ばね３９ａの伸張力がつまみ部２１ａをＥリング３７ａの位置より前方へ押し出されないように係止している。
【００２２】
図２は、この穿刺アダプタ１ａを例えば、体腔内超音波プローブ４１ａに取り付けた様子を示している。体腔内超音波プローブ４１ａは、先端部に図示されない超音波振動子が内蔵された棒状のシャフト部４３ａと、シャフト部４３ａの後端部に続くグリップ部４５ａと、グリップ部４５ａの後端部から引き出され、図示されない超音波診断装置に体腔内超音波プローブ４１ａを接続するためのコード６１ａとを備えて構成されている。
【００２３】
体腔内超音波プローブ４１ａのシャフト部４３ａの先端部に近い側面（上面）には、上記穿刺アダプタ１ａの鍵型部５ａと嵌合する鍵穴４７ａが設けられている。また、体腔内超音波プローブ４１ａのシャフト部４３ａとグリップ部４５ａとの境界部付近には、段差部５１ａが設けられ、この段差部５１ａには、２つのピン穴４９ａが設けられている。
【００２４】
次に、この穿刺アダプタ１ａを体腔内超音波プローブ４１ａに装着する方法を説明する。まず、針ガイド３ａの鍵型部５ａを体腔内超音波プローブ４１ａの鍵穴４７ａに引っ掛け、次いで、つまみ部２１ａを右方向に引っ張ると、つる巻ばね３９ａが圧縮され、つまみ部２１ａが右方向（後方）へ滑動する。
【００２５】
このため、鍵型部５ａとピン２３ａとの距離が広がり、ピン２３ａを体腔内超音波プローブ４１ａのピン穴４９ａに挿入することができ、この状態でつまみ部２１ａを引っ張る力を徐々に弱め手を離すと、つる巻ばね３９ａの伸張力でつまみ部２１ａが段差部５１ａに押しつけられ、装着が完了する。
【００２６】
この状態は、鍵型部５ａと鍵穴４７ａとの嵌合およびそれぞれ２つのピン２３ａとピン穴４９ａとの嵌合により、３次元空間内の３点で支持されていることとなり十分安定しているとともに、固定力の源がつる巻ばね３９ａの伸張力であるので、常に一定した固定力が得られる。
【００２７】
次に、この穿刺アダプタ１ａを体腔内超音波プローブ４１ａから取り外す方法を説明する。つまみ部２１ａを右方向に引っ張ると、つる巻ばね３９ａが圧縮され、つまみ部２１ａが右方向（後方）へ滑動する。このため、鍵型部５ａとピン２３ａとの距離が広がり、ピン２３ａを体腔内超音波プローブ４１ａのピン穴４９ａから外すことができ、次いで鍵型部５ａを鍵穴４７ａから外すと、両者を分離することができる。
【００２８】
図３は、本発明に係る穿刺アダプタの第２の実施の形態を示す正面図（ａ）および断面図（ｂ）であり、図４はこの穿刺アダプタを体腔内超音波プローブに取り付けた様子を示す側面図である。
【００２９】
図３によれば、第２の実施の形態の穿刺アダプタ１ｂは、内部に図示されない穿刺針が挿通される略円筒状の針ガイド３ｂと、針ガイド３ｂの後部寄りに前後に可動に設けられたつまみ部２１ｂと、針ガイド３ｂの外周部に設けられたつる巻ばね３９ｂと、Ｅリング３７ｂを備えて構成されている。
【００３０】
針ガイド３ｂの先端部には、前方へ傾斜した突起である鍵型部５ｂが設けられている。針ガイド３ｂの後端部からやや前方には、つる巻ばね３９ｂの前端部を係止するための大径部７ｂが設けられ、針ガイド３ｂの後端部には、図示されない穿刺針の挿入口１１ｂが漏斗状に開口している。
【００３１】
つまみ部２１ｂには、その後端部から後方に突出するピン２３ｂが２本設けられ、また、つまみ部２１ｂの後端部に開口部を有する小径孔２５ｂとこの小径孔２５ｂに続き前端部に開口部を有する大径孔２７ｂが設けられ、大径孔２７ｂにはその自然長より圧縮されたつる巻ばね３９ｂと針ガイド３ｂの大径部７ｂとが滑動可能なように挿通されている。
【００３２】
この針ガイド３ｂの後端部には、その外周部を一周する溝部９ｂが設けられ、溝部９ｂには、Ｅリング３７ｂが嵌め込まれていて、つる巻ばね３９ｂの伸張力がつまみ部２１ｂをＥリング３７ｂの位置より後方へ押し出されないように係止している。
【００３３】
図４は、この穿刺アダプタ１ｂを例えば、体腔内超音波プローブ４１ｂに取り付けた様子を示している。体腔内超音波プローブ４１ｂは、先端部に図示されない超音波振動子が内蔵された棒状のシャフト部４３ｂと、シャフト部４３ｂの後端部に続くグリップ部４５ｂと、グリップ部４５ｂの後端部から引き出され、図示されない超音波診断装置に体腔内超音波プローブ４１ｂを接続するためのコード６１ｂとを備えて構成されている。
【００３４】
体腔内超音波プローブ４１ｂのシャフト部４３ｂの先端部に近い側面（上面）には、上記穿刺アダプタ１ｂの鍵型部５ｂと嵌合する鍵穴４７ｂが設けられている。また、体腔内超音波プローブ４１ｂのシャフト部４３ｂとグリップ部４５ｂとの境界部付近には、切り欠き部５３ｂが設けられ、この切り欠き部５３ｂには、２つのピン穴４９ｂが設けられている。
【００３５】
次に、この穿刺アダプタ１ｂを体腔内超音波プローブ４１ｂに装着する方法を説明する。まず、針ガイド３ｂの鍵型部５ｂを体腔内超音波プローブ４１ｂの鍵穴４７ｂに引っ掛け、次いで、つまみ部２１ｂを左方向に押し縮めると、つる巻ばね３９ｂが圧縮され、つまみ部２１ｂが左方向（前方）へ滑動する。
【００３６】
このため、鍵型部５ｂとピン２３ｂとの距離が狭まり、ピン２３ｂを体腔内超音波プローブ４１ｂのピン穴４９ｂに挿入することができ、この状態でつまみ部２１ｂを押し縮める力を徐々に弱め手を離すと、つる巻ばね３９ｂの伸張力でつまみ部２１ｂが切り欠き部５３ｂの右側に押しつけられ、装着が完了する。
【００３７】
この状態は、鍵型部５ｂと鍵穴４７ｂとの嵌合およびそれぞれ２つのピン２３ｂとピン穴４９ｂとの嵌合により、３次元空間内の３点で支持されていることとなり十分安定しているとともに、固定力の源がつる巻ばね３９ｂの伸張力であるので、常に一定した固定力が得られる。
【００３８】
次に、この穿刺アダプタ１ｂを体腔内超音波プローブ４１ｂから取り外す方法を説明する。つまみ部２１ｂを左方向に押し縮めると、つる巻ばね３９ｂが圧縮され、つまみ部２１ｂが左方向（前方）へ滑動する。このため、鍵型部５ｂとピン２３ｂとの距離が狭まり、ピン２３ｂを体腔内超音波プローブ４１ｂのピン穴４９ｂから外すことができ、次いで鍵型部５ｂを鍵穴４７ｂから外すと、両者を分離することができる。
【００３９】
図５は、本発明に係る穿刺アダプタの第３の実施の形態を示す正面図（ａ）および断面図（ｂ）であり、図６はこの穿刺アダプタを体腔内超音波プローブに取り付けた様子を示す側面図である。
【００４０】
図５によれば、第３の実施の形態の穿刺アダプタ１ｃは、内部に図示されない穿刺針が挿通される略円筒状の針ガイド３ｃと、針ガイド３ｃの後端部に前後に可動に設けられたつまみ部２１ｃと、針ガイド３ｃの外周部に設けられたつる巻ばね３９ｃと、Ｅリング３７ｃを備えて構成されている。
【００４１】
針ガイド３ｃの先端部には、後方へ傾斜した突起である鍵型部５ｃが設けられている。針ガイド３ｃの後端部にはつる巻ばね３９ｃの後端部を係止するための大径部７ｃが設けられ、大径部７ｃの後端部には、図示されない穿刺針の挿入口１１ｃが漏斗状に開口している。
【００４２】
つまみ部２１ｃは、略円筒形のつまみ部本体と、このつまみ部本体の下部連設された鞍型部２９ｃとからなる。また、つまみ部本体２１ｃには、その前端部に開口部を有する小径孔２５ｃとこの小径孔２５ｃに続き後端部に開口部を有する大径孔２７ｃが設けられ、大径孔２７ｃにはその自然長より圧縮されたつる巻ばね３９ｃと針ガイド３ｃの大径部７ｃとが滑動可能なように挿通されている。
【００４３】
鞍型部２９ｃは、一部が軸と平行に後述されるシャフト部の最も細い部分よりやや広く切り欠かれた切り欠き部３１ｃを有する略円錐台の筒形をなし、その前部が後部より半径が大きくなるテーパー形状３３ｃとなっている。
【００４４】
この針ガイド３ｃには、その外周部を一周する溝部９ｃが設けられ、溝部９ｃには、Ｅリング３７ｃが嵌め込まれていて、つる巻ばね３９ｃの伸張力がつまみ部２１ｃをＥリング３７ｃの位置より前方へ押し出されないように係止している。
【００４５】
図６は、この穿刺アダプタ１ｃを例えば、体腔内超音波プローブ４１ｃに取り付けた様子を示している。体腔内超音波プローブ４１ｃは、先端部に図示されない超音波振動子が内蔵された棒状のシャフト部４３ｃと、シャフト部４３ｃの後端部に続くグリップ部４５ｃと、グリップ部４５ｃの後端部から引き出され、図示されない超音波診断装置に体腔内超音波プローブ４１ｃを接続するためのコード６１ｃとを備えて構成されている。
【００４６】
体腔内超音波プローブ４１ｃのシャフト部４３ｃの先端部に近い側面（上面）には、上記穿刺アダプタ１ｃの鍵型部５ｃと嵌合する鍵穴４７ｃが設けられている。また、体腔内超音波プローブ４１ｃのシャフト部４３ｃは、その中央部が最も細く、その両端部へ向かって徐々に太くなるテーパー形状となっていて、このテーパー形状は、穿刺アダプタ１ｃの鞍型部２９ｃのテーパー形状３３ｃと一致するように成形されている。
【００４７】
次に、この穿刺アダプタ１ｃを体腔内超音波プローブ４１ｃに装着する方法を説明する。まず、針ガイド３ｃの鍵型部５ｃを体腔内超音波プローブ４１ｃの鍵穴４７ｃに引っ掛け、次いで、つまみ部２１ｃを右方向に引っ張ると、つる巻ばね３９ｃが圧縮され、つまみ部２１ｃが右方向（後方）へ滑動する。
【００４８】
このため、鍵型部５ｃと鞍型部２９ｃとの距離が広がり、鞍型部２９ｃの切り欠き部３１ｃを通してシャフト部４３ｃの最も細い部分を鞍型部２９ｃの内側へ入れることができ、この状態でつまみ部２１ｃを引っ張る力を徐々に弱め手を離すと、つる巻ばね３９ｃの伸張力で鞍型部２９ｃがシャフト部４３ｃの前方に押しつけられ、装着が完了する。
【００４９】
この状態は、鍵型部５ｃと鍵穴４７ｃとの嵌合および鞍型部２９ｃのテーパー形状３３ｃとシャフト部４３ｃのテーパー形状とが一致していることにより、十分安定しているとともに、固定力の源がつる巻ばね３９ｃの伸張力であるので、常に一定した固定力が得られる。
【００５０】
次に、この穿刺アダプタ１ｃを体腔内超音波プローブ４１ｃから取り外す方法を説明する。つまみ部２１ｃを右方向に引っ張ると、つる巻ばね３９ｃが圧縮され、つまみ部２１ｃが右方向（後方）へ滑動する。このため、鍵型部５ｃと鞍型部２９ｃとの距離が広がり、シャフト部４３ｃの最も細い部分を鞍型部２９ｃから外すことができ、次いで鍵型部５ｃを鍵穴４７ｃから外すと、両者を分離することができる。
【００５１】
本第３の実施の形態によれば、穿刺アダプタ１ｃをシャフト部４３ｃの先端に設けられた鍵穴４７ｃとシャフト部４３ｃの中央部から先端部にかけて徐々に太くなるテーパー形状５５ｃとにより保持しているので、穿刺アダプタの針ガイド３ｃが短くなり、従来と同じ長さの穿刺針を使用しても、穿刺アダプタの先端より穿刺針が突出する長さである有効長を長くすることができる。このため、被検体の従来より深い部位に対する穿刺術を行うことができる。
【００５２】
図７は、本発明に係る穿刺アダプタの第４の実施の形態を示す正面図（ａ）および断面図（ｂ）であり、図８はこの穿刺アダプタを体腔内超音波プローブに取り付けた様子を示す側面図である。
【００５３】
図７によれば、第４の実施の形態の穿刺アダプタ１ｄは、内部に図示されない穿刺針が挿通される略円筒状の針ガイド３ｄと、針ガイド３ｄの後端部に前後に可動に設けられたつまみ部２１ｄと、針ガイド３ｄの外周部に設けられたつる巻ばね３９ｄと、Ｅリング３７ｄを備えて構成されている。
【００５４】
針ガイド３ｄの先端部には、前方へ傾斜した突起である鍵型部５ｄが設けられている。針ガイド３ｄの後端部からやや前方には、つる巻ばね３９ｄの後端部を係止するための大径部７ｄが設けられ、大径部７ｄの後端部には、図示されない穿刺針の挿入口１１ｄが漏斗状に開口している。
【００５５】
つまみ部２１ｄは、略円筒形のつまみ部本体と、このつまみ部本体の下部連設された鞍型部２９ｄとからなる。また、つまみ部本体２１ｄには、その後端部に開口部を有する小径孔２５ｄとこの小径孔２５ｄに続き前端部に開口部を有する大径孔２７ｄが設けられ、大径孔２７ｄにはその自然長より圧縮されたつる巻ばね３９ｄと針ガイド３ｄの大径部７ｄとが滑動可能なように挿通されている。
【００５６】
鞍型部２９ｄは、一部が軸と平行に後述されるシャフト部の最も細い部分よりやや広い切り欠き部３１ｄを有する略円錐台の筒形をなし、その後部が前部より半径が大きくなるテーパー形状３３ｄとなっている。
【００５７】
この針ガイド３ｄの後端部には、その外周部を一周する溝部９ｄが設けられ、溝部９ｄには、Ｅリング３７ｄが嵌め込まれていて、つる巻ばね３９ｄの伸張力がつまみ部２１ｄをＥリング３７ｄの位置より後方へ押し出されないように係止している。
【００５８】
図８は、この穿刺アダプタ１ｄを例えば、体腔内超音波プローブ４１ｄに取り付けた様子を示している。体腔内超音波プローブ４１ｄは、先端部に図示されない超音波振動子が内蔵された棒状のシャフト部４３ｄと、シャフト部４３ｄの後端部に続くグリップ部４５ｄと、グリップ部４５ｄの後端部から引き出され、図示されない超音波診断装置に体腔内超音波プローブ４１ｄを接続するためのコード６１ｄとを備えて構成されている。
【００５９】
体腔内超音波プローブ４１ｄのシャフト部４３ｄの先端部に近い側面（上面）には、上記穿刺アダプタ１ｄの鍵型部５ｄと嵌合する鍵穴４７ｄが設けられている。また、体腔内超音波プローブ４１ｄのシャフト部４３ｄは、その中央部が最も細く、その両端部へ向かって徐々に太くなるテーパー形状５５ｄとなっていて、このテーパー形状５５ｄは、穿刺アダプタ１ｄの鞍型部２９ｄのテーパー形状３３ｄと一致するように成形されている。
【００６０】
次に、この穿刺アダプタ１ｄを体腔内超音波プローブ４１ｄに装着する方法を説明する。まず、針ガイド３ｄの鍵型部５ｄを体腔内超音波プローブ４１ｄの鍵穴４７ｄに引っ掛け、次いで、つまみ部２１ｄを左方向に押し縮めると、つる巻ばね３９ｄが圧縮され、つまみ部２１ｄが左方向（前方）へ滑動する。
【００６１】
このため、鍵型部５ｄと鞍型部２９ｄとの距離が狭くなり、鞍型部２９ｄの切り欠き部３１ｄを通してシャフト部４３ｄの最も細い部分を鞍型部２９ｄの内側へ入れることができ、この状態でつまみ部２１ｄを押す力を徐々に弱め手を離すと、つる巻ばね３９ｄの伸張力で鞍型部２９ｄがシャフト部４３ｄの後方に押しつけられ、装着が完了する。
【００６２】
この状態は、鍵型部５ｄと鍵穴４７ｄとの嵌合および鞍型部２９ｄのテーパー形状３３ｄとシャフト部４３ｄのテーパー形状５５ｄとが一致していることにより、十分安定しているとともに、固定力の源がつる巻ばね３９ｄの伸張力であるので、常に一定した固定力が得られる。
【００６３】
次に、この穿刺アダプタ１ｄを体腔内超音波プローブ４１ｄから取り外す方法を説明する。つまみ部２１ｄを左方向に押し縮めると、つる巻ばね３９ｄが圧縮され、つまみ部２１ｄが左方向（前方）へ滑動する。このため、鍵型部５ｄと鞍型部２９ｄとの距離が狭くなり、シャフト部４３ｄの最も細い部分を鞍型部２９ｄから外すことができ、次いで鍵型部５ｄを鍵穴４７ｄから外すと、両者を分離することができる。
【００６４】
以上好ましい実施の形態を説明したが、これらは本発明を限定するものではない。例えば、実施の形態では、体腔内超音波プローブに穿刺アダプタを装着する構造を説明したが、他の超音波プローブにも本発明を適用できることは明らかである。
【００６５】
【発明の効果】
以上説明したように本発明によれば、超音波プローブへの取付に際して、固定ネジをねじ込むという煩わしさがなくなり、簡単な操作で穿刺アダプタを取り付けることができるという効果がある。
【００６６】
また、本発明によれば、操作者のねじ込み力によって、穿刺アダプタの固定力にばらつきが生じることがなく、常にバネによる最適な固定力が得られる穿刺アダプタを提供することができるという効果がある。
【００６７】
さらに本発明によれば、針ガイドを短くすることができるため、穿刺針有効長が長くなり、従来と同じ長さの穿刺針を用いてより深部の穿刺術を行うことができるという効果がある。
【図面の簡単な説明】
【図１】本発明に係る穿刺アダプタの第１の実施形態を示す正面図（ａ）および断面図（ｂ）である。
【図２】第２の実施形態の穿刺アダプタを超音波プローブに取り付けた様子を示す側面図である。
【図３】本発明に係る穿刺アダプタの第２の実施形態を示す正面図（ａ）および断面図（ｂ）である。
【図４】第２の実施形態の穿刺アダプタを超音波プローブに取り付けた様子を示す側面図である。
【図５】本発明に係る穿刺アダプタの第３の実施形態を示す正面図（ａ）および断面図（ｂ）である。
【図６】第３の実施形態の穿刺アダプタを超音波プローブに取り付けた様子を示す側面図である。
【図７】本発明に係る穿刺アダプタの第４の実施形態を示す正面図（ａ）および断面図（ｂ）である。
【図８】第４の実施形態の穿刺アダプタを超音波プローブに取り付けた様子を示す側面図である。
【図９】従来例の穿刺アダプタを示す側面図（ａ）及び要部断面図（ｂ）である。
【符号の説明】
１…穿刺アダプタ、３…針ガイド、５…鍵型部、７…大径部、９…溝部、１１…穿刺針挿入口、２１…つまみ部、２３…ピン、２５…小径孔、２７…大径孔、２９…鞍型部、３１…切り欠き部、３３…テーパー形状、３７…Ｅリング、３９…つる巻バネ、４１…体腔内超音波プローブ、４３…シャフト部、４５…グリップ部、４７…鍵穴、４９…ピン穴、５１…段差部、５３…切り欠き部、５５…テーパー形状、６１…接続コード。
【図１】
0003818605.tif 000002
【図２】
0003818605.tif 000003
【図３】
0003818605.tif 000004
【図４】
0003818605.tif 000005
【図５】
0003818605.tif 000006
【図６】
0003818605.tif 000007
【図７】
0003818605.tif 000008
【図８】
0003818605.tif 000009
【図９】
0003818605.tif 000010